(57)【要約】【課題】  装置全体の薄型化を図り、冷却ファンを筐体内の最適な位置に設置して、筐体内の発熱部品を効率良く冷却できる情報処理装置を提供する。【解決手段】  発熱する部品ユニット８が内部に実装された装置本体１内に、吸い込み側を上向きにして冷却ファン７を配置したので、装置本体１の厚みを薄くして装置全体の薄型化を図ることができる。また、装置本体１の上縁部に冷却ファン７によって外気を取り込むための吸気口１１を設けると共に、装置本体１内に吸気口１１から取り込んだ外気を冷却ファン７に導くためのダクト部１３を設けたので、吸気口１１から取り込んだ外気を冷却ファン７に確実に導くことができる。このため、装置本体１内において冷却ファン７が設置位置の制約を受けずに、冷却ファン７を装置本体１内の最適な位置に設置でき、部品ユニット８を効率良く冷却できる。【選択図】        図１０
2010176269.tif 000002
【特許請求の範囲】
【請求項１】
発熱部品が内部に実装された筐体と、
この筐体内に吸い込み側を上向きにして配置された冷却ファンと、
前記筐体の上部外周に設けられた傾斜部に設けられ、前記冷却ファンによって外気を取り込むための吸気口と、
前記筐体内に設けられて前記吸気口から取り込んだ外気を前記冷却ファンに導くためのダクト部と、
前記冷却ファンから離れた箇所に位置する前記筐体の側面部に設けられ、前記筐体内の前記発熱部品を冷却した空気を外部に排出するための排出口と、
を備えていることを特徴とする情報処理装置。
【請求項２】
前記吸気口から外気を取り込む吸気範囲を調整するための吸気調整部材を備えていることを特徴とする請求項１に記載の情報処理装置。
【請求項３】
前記吸気調整部材は、前記ダクト部のダクト領域を前記吸気範囲の調整に応じて変更すると共に、前記吸気範囲の変更に応じて前記吸気口の一部を排気口として機能させる構成であることを特徴とする請求項２に記載の情報処理装置。
【請求項４】
前記筐体の内部には、前記吸気口から侵入した水滴を前記筐体の外部に導くための水滴排出路が設けられていることを特徴とする請求項１〜請求項３のいずれかに記載の情報処理装置。
【請求項５】
前記筐体の上部には外部接続機器を搭載する機器搭載部が設けられており、この機器搭載部の周囲に位置する前筐体の内部には、前記機器搭載部の周囲から侵入した水滴を前記筐体の外部に導くための補助水滴排出路が設けられていることを特徴とする請求項１〜請求項４のいずれかに記載の情報処理装置。
【発明の詳細な説明】
【技術分野】
【０００１】
この発明は、事務処理を行うデータ処理装置やパーソナルコンピュータなどの情報処理装置に関する。
【背景技術】
【０００２】
一般に、事務処理を行うデータ処理装置などの情報処理装置においては、筐体内に実装された各種の電子部品が許容値以上に発熱すると、各電子部品が劣化し易く、電子部品の寿命が短くなり、部品交換の頻度が多くなるばかりか、製品としての品質が低下する。
【０００３】
そこで、従来の情報処理装置においては、特許文献１に記載されているように、筐体内に実装された発熱部品を冷却するために、異物の侵入が少ない筐体の一側部に吸気口を設け、この吸気口の近傍に位置する筐体の内部に冷却ファンを配置し、この冷却ファンで外気を筐体内に取り込み、この取り込んだ外気で筐体内の発熱部品を冷却し、この冷却した空気を筐体の他側部に設けられた排気口から外部に排出するように構成されたものが知られている。
【先行技術文献】
【特許文献】
【０００４】
【特許文献１】特開２００８−９０７７２号公報
【発明の概要】
【発明が解決しようとする課題】
【０００５】
しかしながら、このような従来の情報処理装置では、筐体の一側部に吸気口を設けていることにより、外気を効率良く取り込むために、冷却ファンを筐体の吸気口の近傍に配置する必要があり、このため冷却ファンの設置位置が限定されてしまうという問題がある。
また、このような情報処理装置では、外気を効率良く取り込むために、筐体の吸気口の近傍に冷却ファンを対面させて起立させた状態で配置する必要があり、このため冷却ファンによって筐体の厚みが厚くなり、装置全体の薄型化を図ることができないという問題もある。
【０００６】
この発明が解決しようとする課題は、装置全体の薄型化を図ると共に、冷却ファンを筐体内の最適な位置に設置することができ、これにより筐体内の発熱部品を効率良く冷却することができる情報処理装置を提供することである。
【課題を解決するための手段】
【０００７】
この発明は、上記課題を解決するために、次のような構成要素を備えている。
請求項１に記載の発明は、発熱部品が内部に実装された筐体と、この筐体内に吸い込み側を上向きにして配置された冷却ファンと、前記筐体の上部外周に設けられた傾斜部に設けられ、前記冷却ファンによって外気を取り込むための吸気口と、前記筐体内に設けられて前記吸気口から取り込んだ外気を前記冷却ファンに導くためのダクト部と、前記冷却ファンから離れた箇所に位置する前記筐体の側面部に設けられ、前記筐体内の前記発熱部品を冷却した空気を外部に排出するための排出口と、を備えていることを特徴とする情報処理装置である。
【０００８】
請求項２に記載の発明は、前記吸気口から外気を取り込む吸気範囲を調整するための吸気調整部材を備えていることを特徴とする請求項１に記載の情報処理装置である。
【０００９】
請求項３に記載の発明は、前記吸気調整部材が、前記ダクト部のダクト領域を前記吸気範囲の調整に応じて変更すると共に、前記吸気範囲の変更に応じて前記吸気口の一部を排気口として機能させる構成であることを特徴とする請求項２に記載の情報処理装置である。
【００１０】
請求項４に記載の発明は、前記筐体の内部に、前記吸気口から侵入した水滴を前記筐体の外部に導くための水滴排出路が設けられていることを特徴とする請求項１〜請求項３のいずれかに記載の情報処理装置である。
【００１１】
請求項５に記載の発明は、前記筐体の上部に外部接続機器を搭載する機器搭載部が設けられており、この機器搭載部の周囲に位置する前筐体の内部には、前記機器搭載部の周囲から侵入した水滴を前記筐体の外部に導くための補助水滴排出路が設けられていることを特徴とする請求項１〜請求項４のいずれかに記載の情報処理装置である。  
【発明の効果】
【００１２】
この発明によれば、筐体内に冷却ファンを水平に寝かした状態で配置することができるので、筐体の厚みを薄く形成することができ、且つダクト部によって筐体の吸気口から取り込んだ外気を冷却ファンに確実に導くことができるので、冷却ファンが設置位置の制約を受けることがなく、冷却ファンを筐体内の最適な位置に設置することができ、これにより筐体内の発熱部品を効率良く冷却することができる。
【図面の簡単な説明】
【００１３】
【図１】この発明を適用した情報処理装置の一実施形態を示した正面側の斜視図である。
【図２】図１の情報処理装置を裏面側から見た斜視図である。
【図３】図１の情報処理装置から入力表示機器を取り外した状態における装置本体の斜視図である。
【図４】図３の装置本体の平面図である。
【図５】図３の装置本体を示し、（ａ）はその正面図、（ｂ）はその左側の側面図である。
【図６】図３の装置本体を裏面側から見た斜視図である。
【図７】図６の装置本体における上部ケースを取り外した状態を示した斜視図である。
【図８】図４のＡ−Ａ矢視における断面図である。
【図９】図７の装置本体の内部を示した平面図である。
【図１０】図９の状態の装置本体において冷却ファンによる吸気および排気の状態を示した平面図である。
【図１１】図１０の状態で吸気調整部材によって吸気口の吸気範囲を狭くした状態における吸気および排気の状態を示した平面図である。
【図１２】図１１の状態で排気調整部材によって排気口の排気範囲を狭くした状態における排気の状態を示した平面図である。
【図１３】図８のＡ部を示した要部の拡大断面図である。
【図１４】図３の装置本体における機器搭載部の搭載カバーを示した拡大斜視図である。
【図１５】図３のＢ−Ｂ矢視における要部の拡大断面図である。
【図１６】図４のＣ−Ｃ矢視における要部の拡大断面図である。
【図１７】図１の入力表示機器における入力表示ケースのフロントケースを内側から見た正面図である。
【図１８】図１７のＤ−Ｄ矢視における要部の拡大断面図である。
【図１９】図１８のＢ部を示した要部の拡大断面図である。
【図２０】図１７のＣ部を示した要部の拡大断面図である。
【図２１】図１７の防滴パッキンを１枚のゴムシートから板取りする際の板取り状態を示した図である。
【発明を実施するための形態】
【００１４】
以下、図１〜図２１を参照して、この発明を適用した情報処理装置の一実施形態について説明する。
この情報処理装置は、販売管理、会計、給与計算などの事務処理を行うデータ処理装置であり、図１および図２に示すように、装置本体１と入力表示機器２とを備えている。入力表示機器２は、入力表示ケース３の内部に入力表示パネル４を備え、入力表示ケース３が支持部材５によって装置本体１の機器搭載部６上に起立した状態で支持されるように構成されている。
【００１５】
装置本体１は、図１〜図３に示すように、上部ケース１ａと下部ケース１ｂとを備え、これら全体が箱形状に形成されている。この装置本体１は、図１および図２に示すように、上部ケース１ａの機器搭載部６上に入力表示機器２を取り付けて使用することができるほか、図３に示すように、入力表示機器２を支持部材５と共に機器搭載部６から取り外した状態でも使用することができるように構成されている。
【００１６】
すなわち、この装置本体１の上部ケース１ａにおける前側（図４では下辺側）の上部には、図１〜図６に示すように、機器搭載部６が設けられている。この機器搭載部６は、図２に示すように、支持部材５が装着されて入力表示機器２を起立させた状態で支持すると共に、この入力表示部機器２が装置本体１内の電子回路(図示せず)と電気的に接続されるように構成されている。
【００１７】
また、この装置本体１の内部には、図７および図９に示すように、冷却ファン７が配置されている。この冷却ファン７は、吸い込み側を上に向けた状態で、装置本体１内の右側（図７では左側）に水平な状態で配置されている。これにより、冷却ファン７は、装置本体１内に横に寝かした状態で配置され、この状態で上側から空気を取り込んで下側に吹き出すように構成されている。この場合、装置本体１内には、図７〜図９に示すように、各種の電子部品（図示せず）が組み付けられた発熱する部品ユニット８が冷却ファン７を除いた箇所に配置されている。
【００１８】
また、装置本体１の上部ケース１ａにおける後側（図４では上辺側）の上縁部には、図３〜図６、および図８に示すように、傾斜部１０が上部ケース１ａの上辺部に沿って設けられている。この傾斜部１０は、上部ケース１ａの上部から後端部に向けて次第に低くなるように傾斜している。この傾斜部１０のほぼ全域には、外気を装置本体１内に取り込むための吸気口１１が設けられている。この吸気口１１は、図４に示すように、傾斜部１０に設けられた多数の孔からなり、その内側面（図８では下面）における各孔の間には、図８および図１３に示すように、多数の水滴ガイドリブ１２が鉛直に形成されている。
【００１９】
さらに、装置本体１の上部ケース１ａ内には、図７〜図９に示すように、吸気口１１から取り込んだ外気を冷却ファン７に導くためのダクト部１３が設けられている。このダクト部１３は、吸気口１１の下側から冷却ファン７の上側に亘って設けられ、その周囲がリブ１３ａによって囲われ、これにより上部ケース１ａ内において、冷却ファン７の上部に対応する箇所を除き、吸気口１１の下側から冷却ファン７の上側に亘って空気をガイドするダクト用の空間を形成するように構成されている。
【００２０】
この場合、ダクト部１３には、図７〜図１１に示すように、吸気口１１の吸気範囲を調整するための吸気調整部材１４が設けられている。この吸気調整部材１４は、吸気口１１に対応する箇所のダクト部１３内にスライド可能に配置されて、Ｌ字形状に折り曲げられた仕切板であり、吸気口１１の長手方向に沿ってダクト部１３内を仕切ながら移動させて設置することにより、吸引口１１の吸気範囲を調整すると共に、この吸気範囲の調整に応じてダクト部１３内のダクト領域をも調整するように構成されている。
【００２１】
すなわち、この吸気調整部材１４は、図１０に示すように、冷却ファン７から最も離れた位置に配置されていると、吸気口１１の吸気範囲が最大になり、これに伴ってダクト部１３内のダクト領域も最大になるように構成されている。また、この吸気調整部材１４は、図７および図１１に示すように、ダクト部１３内を移動して冷却ファン７に近づくに従って次第に吸気口１１の吸気範囲を狭くし、これに伴ってダクト部１３内のダクト領域も次第に狭くなるように構成されている。
【００２２】
この場合、吸気調整部材１４は、図１１に示すように、ダクト部１３内を移動して吸気口１１の吸気範囲を狭くした際に、その移動した範囲が排気口として機能するように構成されている。すなわち、吸気口１１は、図１１に示すように、吸気調整部材１４が吸気口１１の長手方向に沿って移動して設置されると、その移動した範囲、つまり冷却ファン７と反対側に位置するダクト領域が装置本体１内に開放されることにより、吸気口１１の一部が排気口として機能するように構成されている。
【００２３】
また、装置本体１の下部ケース１ｂにおける側面下部には、図５（ｂ）に示すように、排気口１５が設けられている。この排気口１５は、図７および図９に示すように、冷却ファン７と反対側に位置する下部ケース１ｂの側面下部（図７では右側の側面下部）に設けられ、冷却ファン７によって吹き出されて部品ユニット８を冷却した空気を装置本体１の外部に排出するように構成されている。この場合、排気口１５に対応する部品ユニット８の側部における下部には、図９〜図１２に示すように、仕切壁８ａが設けられており、この仕切壁８ａと排気口１５との間には、排出用の空間が形成されている。
【００２４】
また、この排気口１５は、図９〜図１２に示すように、その排気範囲が排気調整部材１６によって調整されるように構成されている。この排気調整部材１６は、部品ユニット８の側部における下部に設けられた仕切壁８ａと排気口１５との間に設けられた排出用の空間内に移動可能に配置された仕切板であり、装置本体１の前部側（図９では下辺側）から装置本体１の後部側（図９では上辺側）に向けて移動することにより、排気口１５の排気範囲を調整するように構成されている。
【００２５】
すなわち、この排気調整部材１６は、図１０および図１１に示すように、装置本体１の前部側（図１０では下辺側）に配置されていると、排気口１５の排気範囲が最大になり、また図１２に示すように、部品ユニット８の仕切壁８ａと排気口１５との間の空間内を移動して装置本体１の後部側（図１２では上辺側）に向けて移動して設置されると、これに伴って排気口１５の排気範囲が次第に狭くなるように構成されている。
【００２６】
この場合、排気調整部材１６によって排気範囲が規制されても、図１１および図１２に示すように、吸気口１１を規制する吸気調整部材１４が冷却ファン７側（図１２では右側）に向けて移動した範囲のダクト部１３内と連続することにより、吸気口１１の一部が排気口として機能することにより、この吸気口１１の一部から装置本体１内の空気を外部に排出するように構成されている。
【００２７】
ところで、この装置本体１内には、図８および図１３に示すように、吸気口１１から上部ケース１ａ内に侵入した水滴を装置本体１の外部に導くための水滴排出路１７が設けられている。この水滴排出路１７は、図１３に示すように、装置本体１の上部ケース１ａ内におけるダクト部１３内に設けられた流し板１８と、この流し板１８で流された水滴を装置本体１の後部側の側部から外部に導く縦樋部１９とを備えている。
【００２８】
すなわち、流し板１８は、図１３に示すように、装置本体１の上部ケース１ａにおける上縁部に設けられた傾斜部１０の吸気口１１の下側に位置し、且つその傾斜部１０と同じ方向に緩やかに傾斜して配置され、その上に吸気調整部材１４が設置されるように構成されている。これにより、流し板１８は、上部ケース１ａの傾斜部１０に設けられた吸気口１１から水滴が侵入して水滴ガイドリブ１２に沿って滴下されると、その滴下した水滴を受け止めて傾斜に沿って上部ケース１ａの後部側(図１３では左側)に向けて流すように形成されている。
【００２９】
また、縦樋部１９は、図１３に示すように、流し板１８の後側下部(図１３では右側下部)と装置本体１の上部ケース１ａにおける後部側の内側面との間に設けられ、流し板１８から水滴が流れ込み、この流れ込んだ水滴を上部ケース１ａの内側面に沿って下側に導き、この導いた水滴を装置本体１の上部ケース１ａと下部ケース１ｂとの継ぎ目に設けられた隙間２０から装置本体１の外部に排出するように形成されている。
【００３０】
ところで、装置本体１の上部に設けられた機器搭載部６は、図３および図１４に示すように、上部ケース１ａの開口部２１から上方に突出した状態でその開口部２１を塞ぐ搭載カバー２２を備えている。このため、装置本体１の内部には、図１４〜図１６に示すように、機器搭載部６の搭載カバー２２の周囲から侵入した水滴を装置本体１の外部に導くための補助水滴排出路２３が設けられている。
【００３１】
この補助水滴排出路２３は、図１４〜図１６に示すように、搭載カバー２２の下部外周に設けられた排出溝２４と、この排出溝２４で導かれた水滴を集める集め樋部２５と、この集め樋部２５で集められた水滴を装置本体１の外部に滴下する排出通路２６とを備えている。排出溝２４は、図１４および図１５に示すように、搭載カバー２２の下部外周に設けられて、搭載カバー２２の表面に沿って流れ落ちた水滴を搭載カバー２２の前側下部に導くように構成されている。
【００３２】
集め樋部２５は、図１６に示すように、搭載カバー２２の前側に位置する上部ケース１ａの前部側の内面に設けられて、搭載カバー２２の前部両側から搭載カバー２２の中間下部に向けて傾斜した一対の傾斜リブ２５ａ、２５ｂからなり、搭載カバー２２の排出溝２４で導かれた水滴を搭載カバー２２の中間下部に集めて滴下するように構成されている。
【００３３】
また、排出通路２６は、図１６に示すように、集め樋部２５の下側に位置する上部ケース１ａ内の前部側面に設けられて上下方向に対応する各隙間２６ａ、２６ｂからなり、吸気口１１の水滴排出路１７と同様、装置本体１の上部ケース１ａと下部ケース１ｂとの継ぎ目に設けられた隙間２７から装置本体１の外部に排出するように形成されている。
【００３４】
一方、装置本体１の機器搭載部６に設けられた入力表示機器２は、図１および図２に示すように、入力表示ケース３が支持部材５によって前後方向に自由に傾くと共に縦方向に回転するように、装置本体１上に支持されている。また、入力表示パネル４は、図１９に示すように、表示パネル４ａに透明なタッチパネル４ｂを重ね合わせたものであり、図１に示すように、透明なタッチパネル４ｂが入力表示ケース３の開口部３ａから外部に露出し、この状態で表示パネル４ａに表示された情報を見ながら透明なタッチパネル４ｂをタッチ操作して情報を入力するように構成されている。
【００３５】
この場合、入力表示ケース３は、図１および図２に示すように、フロントケース３１とリアケース３２とからなり、これらの内部に入力表示パネル４が設けられるように構成されている。フロントケース３１には、図１７〜図１９に示すように、入力表示パネル４を露出させるための開口部３ａが設けられている。また、このフロントケース３１の内面には、図１７〜図１９に示すように、リアケース３２を取り付けるための多数の取付ボス３１ａが設けられている。
【００３６】
そして、フロントケース３１における開口部３ａの縁部と入力表示パネル４の外周部の縁部との間には、図１７〜図１９に示すように、枠形状の防滴パッキン３０が設けられている。この場合、フロントケース３１の開口部３ａにおける縁部の内面（図１７では表面）には、図１９に示すように、入力表示パネル４および防滴パッキン３０を位置規制するための位置規制リブ３１ｂが開口部３ａの縁部に沿って設けられている。
【００３７】
防滴パッキン３０は、ゴムパッキンであり、図１８および図１９に示すように、フロントケース３１の内面に位置規制リブ３１ｂによって位置規制されて配置され、入力表示パネル４によって押え付けられている。この防滴パッキン３０は、図１７に示すように、第１〜第４の各パッキン３３〜３６を備えている。すなわち、第１パッキン３３は、入力表示ケース３の開口部３ａの下辺部側に配置されており、第２パッキン３４は、入力表示ケース３の開口部３ａの上辺部側に配置されており、第３、第４の各パッキン３５、３６は、入力表示ケース３の開口部３ａにおける左右両側の各辺部側にそれぞれ配置されている。
【００３８】
この場合、第１パッキン３３は、図１７および図２０に示すように、その両端部が入力表示ケース３の開口部３ａにおける両側の各辺部に沿ってそれぞれ上方に延び、この延びた各上端部に傾斜部３３ａがそれぞれ形成された構成になっている。この第１パッキン３３における両側の傾斜部３３ａは、入力表示ケース３の開口部３ａの外側から内側に向けて次第に高さが低くなる方向に傾斜して形成され、これにより傾斜部３３ａに付着した水滴を入力表示パネル４の表面側に導くように構成されている。
【００３９】
これに伴って、左右両側に位置する第３、第４の各パッキン３５、３６の各下端部、つまり第１パッキン３３との継ぎ目に位置する端部には、図２０に示すように、第１パッキン３３の両側に設けられた傾斜部３３ａに密着する各傾斜部３５ａがそれぞれ形成されている。また、この第３、第４の各パッキン３５、３６の各上端部は、図１７に示すように、入力表示ケース３の開口部３ａの上辺部から入力表示ケース３の内部に挿入して配置されるように形成されている。なお、第２パッキン３４は、第３、第４の各パッキン３５、３６における各上端部の間に配置されるように形成されている。
【００４０】
次に、このような情報処理装置の作用について説明する。
この情報処理装置を使用する際には、冷却ファン７が回転して装置本体１の上部ケース１ａに設けられた吸気口１１から外部の空気を装置本体１内に取り込む。この場合、吸気口１１は、装置本体１の上部ケース１ａにおける後側の上縁部に設けられた傾斜部１０に設けられていることにより、装置本体１の後部側において斜め上方から外気を取り込む。
【００４１】
この取り込んだ外気は、装置本体１内のダクト部１３でガイドされて冷却ファン７に導かれる。このときには、ダクト部１３が吸気口１１の下側から冷却ファン７の上側に亘って連続して形成されたダクト用の空間であるから、吸気口１１から取り込んだ空気を冷却ファン７に確実に導くことができる。
【００４２】
そして、ダクト部１３で導かれた空気が冷却ファン７の上側に送り込まれると、この冷却ファン７で下側に吹き出され、この吹き出された空気が装置本体１内の部品ユニット８を冷却し、この冷却した空気が装置本体１の下部ケース１ｂにおける冷却ファン７から反対側に離れた箇所に位置する側面下部の排気口１５から装置本体１の外部に排出される。これにより、部品ユニット８が発熱しても、良好に部品ユニット８を冷却することができる。
【００４３】
この場合、部品ユニット８の発熱量が少ない機種である場合には、吸気調整部材１４によって吸気口１１の吸気範囲を調整して、機種に応じて吸気量を調整することができる。すなわち、図１１に示すように、吸気調整部材１４を冷却ファン７側に向けてダクト部１３内で移動させて設置することにより、吸気口１１の吸気範囲を狭くし、吸気口１１からの外部の空気の取り込み量を減少させることができ、これにより吸気口１１の吸気量を部品ユニット８の発熱量が少ない機種に応じて調整することができる。
【００４４】
このように、吸気調整部材１４によって吸気口１１の吸気範囲を狭くした際には、吸気調整部材１４の移動した範囲、つまり吸気調整部材１４によって仕切られて冷却ファン７側と反対側に位置するダクト領域が装置本体１内に開放されることにより、吸気口１１の一部が排気口として機能するので、部品ユニット８を冷却した空気を排出口１５と共に吸気口１１の一部からも効率良く装置本体１の外部に排出することができる。
【００４５】
また、このときには、排気調整部材１６によって排気口１５の排気範囲を調整して排気量をも調整することができる。すなわち、図１２に示すように、排気調整部材１６を装置本体１の前側（図１２では下辺側）から後側（図１２では上辺側）に向けて移動させて設置すると、排気口１５の排気範囲を狭くすることができ、これにより排気量を部品ユニット８の発熱量が少ない機種に応じて調整することができる。
【００４６】
ところで、このように使用している際に、装置本体１上に水滴が落ちて吸気口１１から装置本体１内に侵入すると、その侵入した水滴を水滴排出路１７によって装置本体１の外部に排出することができる。すなわち、吸気口１１から装置本体１内に侵入した水滴は、図１３に示すように、水滴ガイドリブ１２に沿って流し板１８上に滴下し、この滴下した水滴が流し板１８の傾斜に沿って上部ケース１ａの後部側（図１３では左側）に向けて流れ、縦樋部１９に流れ込み、この縦樋部１９で下側に導かれて装置本体１の上部ケース１ａと下部ケース１ｂとの継ぎ目に設けられた隙間２０から装置本体１の外部に排出される。
【００４７】
また、このときに、装置本体１における機器搭載部６の搭載カバー２２上に水滴が落ちて搭載カバー２２の周囲から装置本体１内に侵入した際には、図１６に示すように、その侵入した水滴を補助水滴排出路２３によって装置本体１の外部に排出することができる。すなわち、搭載カバー２２に落ちた水滴は、搭載カバー２２の下部外周に設けられた排出溝２４によって搭載カバー２２の前側下部に導かれる。
【００４８】
この導かれた水滴は、図１６に示すように、搭載カバー２２の前側に位置する上部ケース１ａ内の前側面に設けられて、搭載カバー２２の前部両側から搭載カバー２２の中間下部に向けて傾斜した一対の傾斜リブ２５ａ、２５ｂからなる集め樋部２５によって、搭載カバー２２の中間下部に集められて滴下する。この滴下した水滴は排出通路２６によって装置本体１の上部ケース１ａと下部ケース１ｂとの継ぎ目に設けられた隙間２７から装置本体１の外部に排出される。
【００４９】
さらに、装置本体１の機器搭載部６に搭載された入力表示機器２の正面側、つまり入力表示ケース３の正面および入力表示パネル４の表面に水滴が付着した際には、その付着した水滴が入力表示ケース３内に侵入するのを防滴パッキン３０によって防ぐことができる。すなわち、入力表示ケース３の正面および入力表示パネル４の表面に付着した水滴は、上部側から下部側に流れるが、防滴パッキン３０によって入力表示ケース３内への侵入が阻止され、入力表示ケース３の開口部３ａの下辺部に設けられた第１パッキン３３を経て入力表示ケース３の下端部から滴下される。
【００５０】
この場合、第１パッキン３３は、その両側部が上方に向けて延びているので、入力表示ケース３の開口部３ａにおける下辺部の両側の隅部から水滴が入力表示ケース３内に侵入するのを確実に阻止することができる。また、この第１パッキン３３の両側における上方に延び部分の上端部と、これに対応する第３、第４の各パッキン３５、３６の各下端部との継ぎ目部分には、傾斜部３３ａ、３５ａが入力表示ケース３の開口部３ａの外側から内側に向けて次第に高さが低くなるように形成されているので、水滴が上部側から下部側に流れる際に、傾斜部３３ａ、３５ａの傾斜に沿って水滴を入力表示ケース３の開口部３ａの縁部から入力表示パネル４の表面側に向けて導くことができ、これによっても水滴が入力表示ケース３内に侵入するのを確実に阻止することができる。
【００５１】
このように、この情報処理装置によれば、発熱する部品ユニット８が内部に実装された装置本体１内に、吸い込み側を上向きにして冷却ファン７を配置したので、装置本体１内に冷却ファン７を水平に横に寝かした状態で配置することができ、これにより冷却ファン７を起立させた状態で装置本体１内に配置した場合に比べて、装置本体１の厚みを薄く形成することができるので、装置全体の薄型化を図ることができる。
【００５２】
また、この情報処理装置では、装置本体１の上縁部に傾斜部１０を設け、この傾斜部１０に冷却ファン７によって外気を取り込むための吸気口１１を設けているので、装置本体１の上面側に吸気口１１を設けても、異物の侵入が少なく、また装置本体１上に物を置いても吸気口１１が塞がれることがないため、装置本体１の斜め上方から外気を確実に取り込むことができるほか、吸気口１１が装置本体１の後部側に設けられていることにより、装置本体１の上面側に吸気口１１を設けても、吸気口１１が塞がれ難いので、これによっても外気を良好に且つ確実に取り込むことができる。
【００５３】
また、この情報処理装置では、装置本体１内に吸気口１１から取り込んだ外気を冷却ファン７に導くためのダクト部１３が設けられているので、装置本体１の上縁部に設けられた傾斜部１０に吸気口１１を設けても、ダクト部１３によって吸気口１１から取り込んだ外気を冷却ファン７に確実に導くことができる。このため、装置本体１内において冷却ファン７が設置位置の制約を受けることがなく、冷却ファン７を装置本体１内の最適な位置に設置することができるので、装置本体１内の部品ユニット８を効率良く冷却することができる。
【００５４】
すなわち、装置本体１の上縁部に設けられた傾斜部１０に吸気口１１を設けても、この吸気口１１の右側に位置する装置本体１内に冷却ファン７を配置し、この冷却ファン７の左側に発熱する部品ユニット８を配置し、この部品ユニット８の左側に位置する装置本体１の側面下部に部品ユニット８を冷却した空気を外部に排出する排気口１４を設けることにより、冷却ファン７によって空気を装置本体１で効率良く送風させることができるので、冷却ファン７によって部品ユニット８を効率良く冷却することができる。これにより、品ユニット８が許容値以上に発熱することがないため、部品ユニット８に搭載された各種の電子部品の寿命を伸ばすことができ、製品の品質を向上させることができる。
【００５５】
また、この情報処理装置は、吸気口１１から外気を取り込む吸気範囲を調整するための吸気調整部材１４を備えているので、この吸気調整部材１４によって吸気口１１の吸気量を調整することができ、これにより冷却ファン７による冷却能力を調整することができる。例えば、部品ユニット８の発熱量が少ない機種である場合には、吸気調整部材１４によって吸気口１１の吸気範囲を狭くして、吸気口１１からの外部の空気の取り込み量を減少させることができる。このため、部品ユニット８の発熱量に応じて冷却ファン７を交換する必要がなく、最適な冷却能力で部品ユニット８を効率良く冷却することができる。
【００５６】
この場合、吸気調整部材１４は、ダクト部１３のダクト領域を吸気範囲の調整に応じて変更すると共に、吸気範囲の変更に応じて吸気口１１の一部を排気口として機能させる構成であることにより、吸気調整部材１４によって吸気口１１の吸気範囲を狭くした際には、吸気調整部材１４が移動した範囲、つまり吸気調整部材１４で仕切られて冷却ファン７と反対側に位置するダクト領域を装置本体１内に開放させることができる。これにより、吸気口１１の一部を排気口として利用することができるので、装置本体１内の部品ユニット８を冷却した空気を排出口１５と共に吸気口１１の一部からも装置本体１の外部に排出することができるので、これによっても効率良く部品ユニット８を冷却することができる。
【００５７】
また、この情報処理装置では、排気調整部材１６によって排気口１５の排気範囲を調整して排気量を調整することができるので、部品ユニット８の発熱量が少ない機種である場合には、排気調整部材１６によって排気口１５の排気範囲を狭くして、排気口１５からの排出される空気の排気量を減少させることができ、これによっても冷却能力を調整することができるので、最適な状態で部品ユニット８を効率良く冷却することができると共に、排気口１５を狭く制限することにより、騒音の発生を抑えることができるので、静音性をも向上させることができる。
【００５８】
また、この情報処理装置では、装置本体１の内部に、吸気口１１から侵入した水滴を装置本体１の外部に導くための水滴排出路１７が設けられているので、装置本体１上に水滴が落ちて吸気口１１から装置本体１内に侵入しても、装置本体１内の部品ユニット８に影響を及ぼすことがなく、侵入した水滴を装置本体１の外部に良好に且つ確実に排出することができる。このため、吸気口１１を装置本体１の上部に設けても、水滴の侵入によって装置本体１内の部品ユニット８の故障や、部品ユニット８に搭載された回路基板などの主要部品がシュートするなどの不具合の発生を防ぐことができる。
【００５９】
すなわち、この水滴排出路１７は、吸気口１１から装置本体１内に水滴が侵入すると、図１３に示すように、その水滴を水滴ガイドリブ１２に沿って流し板１８上に滴下し、この滴下した水滴を流し板１８の傾斜に沿って上部ケース１ａの外周側に向けて流して縦樋部１９に流し込み、この流し込まれた水滴を縦樋部１９によって下側に導いて装置本体１の上部ケース１ａと下部ケース１ｂとの継ぎ目に設けられた隙間２０から装置本体１の外部に確実に排出することができる。
【００６０】
また、この情報処理装置では、装置本体１の上部に外部接続機器である入力表示機器２を搭載する機器搭載部６が設けられており、この機器搭載部６の周囲に位置する装置本体１の内部に、機器搭載部６の周囲から侵入した水滴を装置本体１の外部に導くための補助水滴排出路２３が設けられているので、装置本体１の機器搭載部６上に水滴が落ちてその周囲から装置本体１内に侵入しても、装置本体１内の部品ユニット８に影響を及ぼすことがなく、侵入した水滴を装置本体１の外部に良好に且つ確実に排出することができる。このため、装置本体１の上部に外部接続機器である入力表示機器２を搭載する機器搭載部６を設けても、水滴の侵入によって装置本体１内の部品ユニット８の故障や、部品ユニット８に搭載された回路基板などの主要部品がシュートするなどの不具合の発生を防ぐことができる。
【００６１】
すなわち、この補助水滴排出路２３は、機器搭載部６の搭載カバー２２上に水滴が落ちて搭載カバー２２の周囲から装置本体１内に侵入すると、この侵入した水滴を搭載カバー２２の下部外周に設けられた排出溝２４によって搭載カバー２２の前側下部に導き、この導かれた水滴を集め樋部２５によって搭載カバー２２の中間下部に集めて滴下し、この滴下した水滴を排出通路２６によって装置本体１の上部ケース１ａと下部ケース１ｂとの継ぎ目に設けられた隙間２７から装置本体１の外部に確実に排出することができる。
【００６２】
さらに、この情報処理装置では、装置本体１上に設けられた入力表示機器２が入力表示ケース３内に入力表示パネル４を設ける際に、入力表示ケース３における開口部３ａの縁部と入力表示パネル４の外周部の縁部との間に枠形状の防滴パッキン３０を設けた構成であるから、入力表示機器２の入力表示ケース３および入力表示パネル４に水滴が付着しても、その付着した水滴が入力表示ケース３内に侵入するのを防滴パッキン３０によって防ぐことができる。
【００６３】
すなわち、防滴パッキン３０は、入力表示ケース３の開口部３ａの下辺部側に配置された第１パッキン３３と、入力表示ケース３の開口部３ａの上辺部側に配置された第２パッキン３４と、入力表示ケース３の開口部３ａにおける両側の各辺部側にそれぞれ配置された第３、第４の各パッキン３５、３６とを備えているので、入力表示ケース３および入力表示パネル４に付着した水滴が上部側から下部側に流れても、入力表示ケース３の開口部３ａに設けられた第１〜第４の各パッキン３３〜３６によって入力表示ケース３内への侵入を確実に阻止することができる。
【００６４】
この場合、第１パッキン３３は、その両側部が上方に向けて延びているので、入力表示ケース３の開口部３ａにおける下辺部の両側の隅部から水滴が入力表示ケース３内に侵入するのを確実に阻止することができる。また、この第１パッキン３３の両側における上方に延びた部分の各上端部と、これに対応する第３、第４の各パッキン３５、３６の各下端部との継ぎ目部分には、傾斜部３３ａ、３５ａが入力表示ケース３の開口部３ａの外側から内側に向けて次第に高さが低くなるように形成されているので、水滴が上部側から下部側に流れる際に、傾斜部３３ａ、３５ａの傾斜に沿って水滴を入力表示ケース３の開口部３ａの縁部から入力表示パネル４の表面側に向けて導くことができ、これによっても水滴が入力表示ケース３内に侵入するのを確実に阻止することができる。
【００６５】
また、この防滴パッキン３０は、第１〜第４の各パッキン３３〜３６に分割されているので、図２１に示すように、１枚のゴムシート３８から効率良く板取りすることができ、これにより防滴パッキン３０を枠形状に連続させて形成した場合に比べて、材料の無駄が少なく、材料の低コスト化を図ることができる。
【００６６】
すなわち、この防滴パッキン３０は、第１パッキン３３の両側から上側に延びた部分の間に、両側の第３、第４の各パッキン３５、３６を横に寝かせて配置する状態で板取りし、これらの上側に上辺側の第２パッキン３４を配置する状態で板取りすることにより、これら全体の面積を最初限に小さくすることができるので、１枚のゴムシート３８から複数組の防滴パッキン３０を切り出すことができる。
【００６７】
なお、前述した一実施形態では、冷却ファン７を装置本体内における右側に設置した場合について述べたが、必ずしも装置本体１内の右側に冷却ファンを設置する必要はなく、装置本体１内の中央部に冷却ファン７を設置しても良い。この場合には、冷却ファン７を囲むように部品ユニット８を配置すると共に、ダクト部１３によって吸気口１１から取り込んだ外気を冷却ファン７に導き、且つ装置本体１の左右両側の側面下部に排気口を設けるようにすれば良い。
【００６８】
また、前記一実施形態では、装置本体１の後部側における上縁部に位置する傾斜部１０に吸気口１１を設けた場合について述べたが、これに限らず、装置本体の上部における外周に沿って傾斜部を連続させて設け、この装置本体の外周に沿う傾斜部の全域に吸気口を設けた構成でも良い。この場合にも、装置本体にダクト部を吸気口に対応させて設けられれば良い。
【００６９】
さらに、前記一実施形態では、情報処理装置として、販売管理、会計、給与計算などの事務処理を行うデータ処理装置に適用した場合について述べたが、必ずしも事務処理を行うデータ処理装置である必要はなく、発熱する部品ユニットを冷却ファンで冷却する情報処理装置、例えばパーソナルコンピュータなどの各種の情報処理装置に広く適用することができる。
【符号の説明】
【００７０】
１  装置本体
１ａ  上部ケース
１ｂ  下部ケース
２  入力表示機器
３  入力表示ケース
３ａ  入力表示ケースの開口部
４  入力表示パネル
６  機器搭載部
７  冷却ファン
８  部品ユニット
１０  装置本体の傾斜部
１１  吸気口
１３  ダクト部
１４  吸気調整部材
１５  排気口
１６  排気調整部材
１７  水滴排出路
２１  上部ケースの開口部
２２  搭載カバー
２３  補助水滴排出部
３０  放滴パッキン
３３〜３６  第１〜第４の各パッキン
３３ａ  第１パッキンの傾斜部
３５ａ  第３、第４の各パッキンの傾斜部
【図１】
2010176269.tif 000003
【図２】
2010176269.tif 000004
【図３】
2010176269.tif 000005
【図４】
2010176269.tif 000006
【図５】
2010176269.tif 000007
【図６】
2010176269.tif 000008
【図７】
2010176269.tif 000009
【図８】
2010176269.tif 000010
【図９】
2010176269.tif 000011
【図１０】
2010176269.tif 000012
【図１１】
2010176269.tif 000013
【図１２】
2010176269.tif 000014
【図１３】
2010176269.tif 000015
【図１４】
2010176269.tif 000016
【図１５】
2010176269.tif 000017
【図１６】
2010176269.tif 000018
【図１７】
2010176269.tif 000019
【図１８】
2010176269.tif 000020
【図１９】
2010176269.tif 000021
【図２０】
2010176269.tif 000022
【図２１】
2010176269.tif 000023